(57)【要約】【課題】マークカードの消費を抑制し、マーケティングの解析結果の精度の向上を図る。【解決手段】投票システム１０では、投票装置３０は、携帯端末２０が表示する、投票者を識別する識別情報と投票内容を表す投票情報とを含む情報を示す識別コードを読み取り、読み取った識別コードから識別情報及び投票情報を取得し、それらの情報を投票管理サーバ４０に送信する。投票管理サーバ４０は、投票装置３０から受け付けた投票情報を識別情報ごとに格納し、当該投票情報に基づく投票券の発券実行通知を投票装置３０に送信する。投票装置３０は、投票管理サーバ４０からの発券実行通知に基づき投票券を投票者に対して発券することができる。【選択図】図１
2015069589.tif 000002
【特許請求の範囲】
【請求項１】
投票者を識別する識別情報と、前記投票者の投票内容を表す投票情報とを含む情報を示す識別コードを表示する携帯端末と、
前記識別情報及び前記投票情報を格納する投票受付情報格納部と、携帯端末に表示されている前記識別コードを読み取るコード読取部と、読み取った前記識別コードに基づき前記識別情報及び前記投票情報を取得して、前記投票受付情報格納部に格納させる投票情報取得部と、前記識別情報及び前記投票情報を送信する投票情報送信部と、前記投票情報に基づく投票券の発券実行通知を受信すると前記投票受付情報格納部に格納されている前記投票情報に基づき前記投票券を発券する発券部とを有する投票装置と、
前記投票装置から送信された前記識別情報及び前記投票情報を受け付ける投票情報受付部と、受け付けた前記識別情報ごとに前記投票情報を格納する投票情報格納部と、前記投票情報格納部に前記投票情報が格納されると前記投票券を発券させる前記発券実行通知を前記投票装置に送信する発券実行部とを有する投票管理サーバと、
を備えることを特徴とする投票システム。
【請求項２】
前記携帯端末から前記投票者の個人情報を受け付ける個人情報受付部と、受け付けた前記個人情報に前記識別情報を対応付けて格納する個人情報格納部と、前記識別情報を前記携帯端末に発行する識別情報発行部とを有する識別情報管理サーバ、
をさらに有することを特徴とする請求項１記載の投票システム。
【請求項３】
前記識別情報管理サーバは、前記投票管理サーバから前記識別情報に対応する前記個人情報の送信要求を受信すると、前記個人情報格納部を参照して、送信要求があった前記識別情報に対応する前記個人情報を前記投票管理サーバに送信する個人情報通知処理部を有し、
前記投票管理サーバは、前記識別情報に対応する前記個人情報の送信要求を前記識別情報管理サーバに送信し、前記識別情報管理サーバから送信要求した前記識別情報に対応する前記個人情報を受信すると、前記投票情報格納部に前記個人情報を格納させる個人情報追加処理部を有する、
ことを特徴とする請求項２記載の投票システム。
【請求項４】
前記識別コードは、一次元コードまたは二次元コードであることを特徴とする請求項１乃至３のいずれか一項に記載の投票システム。
【請求項５】
前記管理サーバは、前記投票情報格納部が格納する前記投票情報に基づき投票金額に応じたポイント数を算出し、前記投票情報格納部に前記識別情報ごとに前記ポイント数を格納させる金額ポイント算出部を有する、
ことを特徴とする請求項１乃至４のいずれか一項に記載の投票システム。
【請求項６】
投票者を識別する識別情報と、前記投票者の投票内容を表す投票情報とを格納する投票受付情報格納部と、
携帯端末に表示されている前記識別情報と前記投票情報とを含む情報を示す識別コードを読み取るコード読取部と、
読み取った前記識別コードに基づき前記識別情報及び前記投票情報を取得して、前記投票受付情報格納部に格納する投票情報取得部と、
前記識別情報及び前記投票情報を投票管理サーバに送信する投票情報送信部と、
前記投票管理サーバから前記投票情報に基づく投票券の発券実行通知を受信すると投票情報格納部に格納されている前記投票情報に基づき前記投票券を発券する発券部と、
を有することを特徴とする投票装置。
【発明の詳細な説明】
【技術分野】
【０００１】
本発明は、投票システム及び投票装置に関する。
【背景技術】
【０００２】
競馬、競艇、競輪等の公営競技において、投票者が、その投票券を現金により購入する場合には、入金後、マーク式の投票用紙（マークカード）に所望の場名と、レース番号、式別、投票対象の組番等の投票情報をマークして、投票装置に読み取らせる。投票装置はマークされたマークカードを読み取ると投票券を発券する。このようにして投票者は投票券を現金により購入することができる。
【０００３】
また、公営競技では投票者へのサービスの一環として、例えば、以下のような取り組みがなされている。ホストコンピュータ（公営競技管理サーバ）は、投票装置が読み取ったマークカードの投票情報からオッズを算出し、全式別人気の高い順オッズ表と全式別的中情報表を作成し、作成した全式別人気の高い順オッズと的中状況とを投票者に提供し、投票者が投票券をより容易に購入できるようになる（例えば、特許文献１参照）。
【先行技術文献】
【特許文献】
【０００４】
【特許文献１】特開２０１３−１１４４８７号公報
【発明の概要】
【発明が解決しようとする課題】
【０００５】
ところで、投票券購入のためのマークカードは紙で構成されており、投票装置により投票情報が読み取られたマークカードは廃棄されて、多くの紙が消費されるという問題点があった。
【０００６】
また、投票者へのサービス向上のために、投票情報に投票者の個人情報（性別、年齢等）を加えて様々な統計情報をマーケティングの解析に利用することが高まっている。しかし、投票券を現金で購入する投票者からは投票者の個人情報を得ることが難しく、マーケティングの解析結果の精度が向上しないという問題点があった。
【課題を解決するための手段】
【０００７】
本発明の一観点によれば、投票者を識別する識別情報と、前記投票者の投票内容を表す投票情報とを含む情報を示す識別コードを表示する携帯端末と、前記識別情報及び前記投票情報を格納する投票受付情報格納部と、携帯端末に表示されている前記識別コードを読み取るコード読取部と、読み取った前記識別コードに基づき前記識別情報及び前記投票情報を取得して、前記投票受付情報格納部に格納させる投票情報取得部と、前記識別情報及び前記投票情報を送信する投票情報送信部と、前記投票情報に基づく投票券の発券実行通知を受信すると前記投票受付情報格納部に格納されている前記投票情報に基づき前記投票券を発券する発券部とを有する投票装置と、前記投票装置から送信された前記識別情報及び前記投票情報を受け付ける投票情報受付部と、受け付けた前記識別情報ごとに前記投票情報を格納する投票情報格納部と、前記投票情報格納部に前記投票情報が格納されると前記投票券を発券させる前記発券実行通知を前記投票装置に送信する発券実行部とを有する投票管理サーバと、を備える投票システムが提供される。
【０００８】
本発明の一観点によれば、上記投票システムが備える投票装置が提供される。
【発明の効果】
【０００９】
開示の技術によれば、マークカードの消費を抑制し、マーケティングの解析結果の精度の向上を図ることができる。
【図面の簡単な説明】
【００１０】
【図１】第１の実施の形態に係る投票システムの概要を説明するための図である。
【図２】第２の実施の形態に係る投票システムを示す図である。
【図３】第２の実施の形態に係る携帯端末が備えるハードウェア構成例を示す図である。
【図４】第２の実施の形態に係る投票装置が備えるハードウェア構成例を示す図である。
【図５】第２の実施の形態に係る会員管理サーバ及び公営競技管理サーバが備えるハードウェア構成例を示す図である。
【図６】第２の実施の形態に係る携帯端末及び会員管理サーバが備える機能を示す機能ブロック図である。
【図７】第２の実施の形態に係る携帯端末及び会員管理サーバの会員登録の際のシーケンス図である。
【図８】第２の実施の形態に係る携帯端末で会員登録時に表示される表示例を示す図である。
【図９】第２の実施の形態に係る携帯端末で実行される投票受付処理の一例を示すフローチャート図である。
【図１０】第２の実施の形態に係る携帯端末で投票受付処理時に表示される表示例を示す図である。
【図１１】第２の実施の形態に係る投票装置及び公営競技管理サーバが備える機能を示す機能ブロック図である。
【図１２】第２の実施の形態に係る投票装置及び公営競技管理サーバが備える情報の一例を示す図である。
【図１３】第２の実施の形態に係る携帯端末、投票装置及び公営競技管理サーバの投票券発券の際のシーケンス図である。
【図１４】第２の実施の形態に係る投票装置で発券開始受け付け時に表示される表示例を示す図である。
【図１５】第２の実施の形態に係る会員管理サーバ及び公営競技管理サーバが備える機能を示す機能ブロック図である。
【図１６】第２の実施の形態に係る会員管理サーバ及び公営競技管理サーバの個人情報追加の際のシーケンス図である。
【発明を実施するための形態】
【００１１】
以下、図面を参照して実施の形態について説明する。
［第１の実施の形態］
第１の実施の形態に係る投票システムは、現金購入により投票を行う投票者が携帯する携帯端末と、投票装置、投票管理サーバを備える。投票装置は、携帯端末が表示する、投票者を識別する識別情報と投票内容を表す投票情報とを含む情報を示す識別コードを読み取り、読み取った識別コードから識別情報及び投票情報を取得して、投票受付情報格納部に格納し、それらの情報を投票管理サーバに送信する。投票管理サーバは、投票装置から受け付けた投票情報を識別情報ごとに格納し、当該投票情報に基づく投票券の発券実行通知を投票装置に送信する。投票装置は、投票管理サーバからの発券実行通知に基づき投票券を投票者に対して発券することができる。
【００１２】
したがって、投票システムでは、投票装置は、マークカードを用いずに投票者の投票情報に基づく投票券を発券することができる。また、投票管理サーバは、投票者を識別する識別情報ごとに投票情報を格納しており、これらの情報を用いて、マーケティングの精度を向上することができる。
【００１３】
このような投票システムについて、図１を用いて説明する。
図１は、第１の実施の形態に係る投票システムの概要を説明するための図である。
投票システム１０は、図１に示すように、携帯端末２０と、投票装置３０、投票管理サーバ４０を備える。なお、投票装置３０及び投票管理サーバ４０は、通信可能に、例えば、ネットワークを介して接続されている。
【００１４】
携帯端末２０は、投票者によって携帯され、ディスプレイ、モニタ等の表示装置を備えた情報処理装置である、例えば、スマートフォンである。このような携帯端末２０は、投票者を識別する識別情報と、投票者の投票内容を表す投票情報とを含む情報を示す識別コードを表示する。識別コードは、例えば、バーコードといった一次元コード、ＱＲコード（登録商標）といった二次元コードである。なお、第１の実施の形態では、二次元コードを例に挙げて説明する。
【００１５】
また、投票装置３０は、例えば、競馬場、競輪場、競艇場、オートレース場等で投票券の発券管理等を行うトータリゼータシステムを構成する装置の一つであり、投票券の発券の他、投票券を受け付けて払い戻しを行い、投票券発売所、発券所等に設置される。このような投票装置３０は、コード読取部３１と、投票情報取得部３２、投票情報送信部３３、発券部３４、投票受付情報格納部３５を有する。
【００１６】
コード読取部３１は、携帯端末２０に表示されている識別コードを読み取る。例えば、投票装置３０に設置されている二次元コード読取装置により識別コード（例えば、ＱＲコード）の画像が撮像されると、コード読取部３１は、当該画像からＱＲコードを読み取る。
【００１７】
投票情報取得部３２は、コード読取部３１が読み取った識別コードに基づき識別情報及び投票情報を取得する。例えば、投票情報取得部３２は、識別コードがＱＲコードである場合には、当該ＱＲコードから識別情報及び投票情報に変換して、各情報を取得する。
【００１８】
投票情報送信部３３は、投票情報取得部３２が取得した識別情報及び投票情報を投票管理サーバ４０に送信する。
発券部３４は、投票管理サーバ４０から投票情報に基づく投票券の発券実行通知を受け付けると投票券を発券する。発券部３４は、発券の際には、後述する投票受付情報格納部３５に格納されている投票情報を参照して、当該投票情報を印字した投票券を発券する。
【００１９】
投票受付情報格納部３５は、投票情報取得部３２が取得した識別情報及び投票情報を格納する。
さらに、投票管理サーバ４０は、例えば、公営競技の各レースに関する情報と、各レースに対する投票情報を管理しており、投票情報受付部４１と、投票情報格納部４２、発券実行部４３を有する。
【００２０】
投票情報受付部４１は、投票装置３０から送信された識別情報及び投票情報を受け付ける。
投票情報格納部４２は、受け付けた識別情報ごとに投票情報を格納する。
【００２１】
発券実行部４３は、投票情報格納部４２に識別情報ごとに投票情報が格納されると投票券を発券させる発券実行通知を投票装置３０に送信する。
なお、投票装置３０及び投票管理サーバ４０が有する各部は、投票装置３０及び投票管理サーバ４０がそれぞれ備える中央処理装置（ＣＰＵ：Central Processing Unit）によりプログラムが実行されることにより実現される。
【００２２】
このような構成を備える投票システム１０による投票処理方法について説明する。
携帯端末２０には、投票者を識別する識別情報と、投票受付を行う投票アプリとが事前に格納されている。投票者が携帯端末２０の投票アプリを起動して、当該アプリにより、例えば、公営競技に対する投票内容を入力すると、携帯端末２０は、識別情報と投票内容を表す投票情報とを含む情報を識別コードにコード化して、当該識別コードを表示する。
【００２３】
投票者は公営競技に対する投票内容に応じた投票金額を投票装置３０に入金後、携帯端末２０が表示する識別コードの画像を投票装置３０の撮像装置に撮像させると、コード読取部３１はその画像から識別コードを読み取る。
【００２４】
投票情報取得部３２がコード読取部３１により読み取られた識別コードに基づき識別情報及び投票情報を取得して、投票受付情報格納部３５に格納する。投票情報送信部３３は、投票情報取得部３２が取得した識別情報及び投票情報を投票管理サーバ４０に送信する。
【００２５】
投票管理サーバ４０では、投票情報受付部４１が、投票装置３０から送信された識別情報及び投票情報を受け付けると、投票情報格納部４２が識別情報ごとに投票情報を格納する。また、発券実行部４３が、その投票情報に基づく投票券を発券させる発券実行通知を投票装置３０に送信する。
【００２６】
投票装置３０では、発券部３４は、投票管理サーバ４０から投票情報に基づく投票券の発券実行通知を受け付ける。
投票装置３０の発券部３４は投票受付情報格納部３５に格納されている公営競技に対する投票情報を印字した投票券を発券する。
【００２７】
以上により、投票者は、投票内容が印字された投票券を得ることができる。
したがって、投票システム１０では、投票装置３０は、携帯端末２０が表示する、投票者を識別する識別情報と投票内容を表す投票情報とを含む情報を示す識別コードを読み取り、読み取った識別コードから識別情報及び投票情報を取得し、それらの情報を投票管理サーバ４０に送信する。投票管理サーバ４０は、投票装置３０から受け付けた投票情報を識別情報ごとに格納し、当該投票情報に基づく投票券の発券実行通知を投票装置３０に送信する。投票装置３０は、投票管理サーバ４０からの発券実行通知に基づき投票券を投票者に対して発券することができる。
【００２８】
これにより、投票システム１０では、投票装置３０は、マークカードを用いずに投票者の投票情報に基づく投票券を発券することができ、紙の使用を抑制することができる。また、投票管理サーバ４０は、投票者を識別する識別情報ごとに投票情報を格納しており、これらの情報を用いることで、マーケティングの精度を向上することができる。
【００２９】
また、投票システム１０は、公営競技に対する投票の他に、例えば、宝くじ、スポーツ振興くじにも利用することができる。これらの場合には、識別データに、識別情報と共に、投票情報として、当選予想番号や、予想勝利チームの情報を用いることができる。
【００３０】
［第２の実施の形態］
第２の実施の形態では、第１の実施の形態の投票システムについてより具体的に説明する。
【００３１】
第２の実施の形態の投票システムについて図２を用いて説明する。
図２は、第２の実施の形態に係る投票システムを示す図である。
投票システム１００は、例えば、競馬に関するものであり、図２に示すように、投票者Ｖの携帯端末２００と、投票装置３００、会員管理サーバ４００、公営競技管理サーバ５００を含んでいる。また、携帯端末２００は会員管理サーバ４００と互いに通信可能に接続されている。投票装置３００は公営競技管理サーバ５００と、会員管理サーバ４００は公営競技管理サーバ５００と、ネットワーク６００を介して互いに通信可能に接続されている。
【００３２】
次に、投票システム１００を構成する各装置のハードウェア構成例について説明する。
携帯端末２００について、図３を用いて説明する。
図３は、第２の実施の形態に係る携帯端末が備えるハードウェア構成例を示す図である。
【００３３】
携帯端末２００は、図３に示すように、制御ユニット２１０と、制御ユニット２１０に電気的に接続されているディスプレイ２２０と、タッチパネル２３０、マイク２４０、スピーカ２５０を備えている。
【００３４】
制御ユニット２１０はＣＰＵ２１０ａを含み、ＣＰＵ２１０ａによって携帯端末２００全体が制御されている。ＣＰＵ２１０ａには、バス２１０ｈを介して、ＲＡＭ（Random Access Memory）２１０ｂと、フラッシュメモリ２１０ｃ、グラフィック処理部２１０ｄ、入出力インタフェース２１０ｅ、音声処理部２１０ｆ、無線通信モジュール２１０ｇが接続されている。
【００３５】
ＲＡＭ２１０ｂには、ＣＰＵ２１０ａに実行させるＯＳ（Operating System）のプログラムやアプリケーションプログラムの少なくとも一部が一時的に格納される。また、ＲＡＭ２１０ｂには、ＣＰＵ２１０ａによる処理に必要な各種データが格納される。フラッシュメモリ２１０ｃには、ＯＳやアプリケーションプログラムが格納される。
【００３６】
グラフィック処理部２１０ｄには、ディスプレイ２２０が接続されている。グラフィック処理部２１０ｄは、ＣＰＵ２１０ａからの命令にしたがって、画像をディスプレイ２２０の画面に表示させる。
【００３７】
入出力インタフェース２１０ｅには、ディスプレイ２２０に設置されたタッチパネル２３０が接続されている。入出力インタフェース２１０ｅは、タッチパネル２３０から送られてくる信号を、バス２１０ｈを介してＣＰＵ２１０ａに送信する。
【００３８】
音声処理部２１０ｆは、マイク２４０及びスピーカ２５０が接続されて、音声信号処理を行う。具体的には、音声処理部２１０ｆは、マイク２４０から音声アナログ信号を取得し、必要な信号変換処理を行ってバス２１０ｈを介してＣＰＵ２１０ａに音声データを出力する。また、音声処理部２１０ｆは、ＣＰＵ２１０ａからバス２１０ｈを介して音声データを取得し、必要な信号変換処理を行ってスピーカ２５０に音声再生させる。
【００３９】
無線通信モジュール２１０ｇは、無線信号処理を行い、基地局等他の通信装置との無線通信を実現する。無線通信モジュール２１０ｇは、携帯端末２００に搭載されたアンテナ（図示を省略）を介して受信した信号を復調・復号し、得られた受信データをバス２１０ｈを介してＣＰＵ２１０ａに出力する。また、無線通信モジュール２１０ｇは、ＣＰＵ２１０ａからバス２１０ｈを介して取得した送信データを符号化・変調し、得られた送信信号をアンテナを介して出力する。また、携帯端末２００は、無線通信モジュール２１０ｇが通信装置と無線通信を行って、会員管理サーバ４００と通信することができる。
【００４０】
次に、投票装置３００について、図４を用いて説明する。
図４は、第２の実施の形態に係る投票装置が備えるハードウェア構成例を示す図である。
【００４１】
投票装置３００は、図４に示すように、制御ユニット３１０と、ディスプレイ３１１、管理者用ディスプレイ３１２を備える。投票装置３００は、ディスプレイ３１１に設置されたタッチパネル３２１と、管理者用ディスプレイ３１２に設置された管理者用タッチパネル３２２、紙幣処理ユニット３３１、硬貨処理ユニット３３２を備える。また、投票装置３００は、投票券発券ユニット３４１と、払戻投票券読取ユニット３４２を備える。さらに、投票装置３００は、マークカード読取ユニット３５０と、二次元コード読取ユニット３６０を備える。
【００４２】
制御ユニット３１０はＣＰＵ３１０ａを含み、ＣＰＵ３１０ａによって投票装置３００全体が制御されている。ＣＰＵ３１０ａには、バス３１０ｈを介してＲＡＭ３１０ｂと、ＨＤＤ（Hard Disk Drive）３１０ｃ、グラフィック処理部３１０ｄ、入出力インタフェース３１０ｅ、ディスクドライブ３１０ｆ、通信制御部３１０ｇが接続されている。
【００４３】
ＲＡＭ３１０ｂには、ＣＰＵ３１０ａに実行させるＯＳのプログラムやアプリケーションプログラムの少なくとも一部が一時的に格納される。また、ＲＡＭ３１０ｂには、ＣＰＵ３１０ａによる処理に必要な各種データが格納される。ＨＤＤ３１０ｃには、ＯＳやアプリケーションプログラムが格納される。
【００４４】
グラフィック処理部３１０ｄには、ディスプレイ３１１と、管理者用ディスプレイ３１２が接続されている。グラフィック処理部３１０ｄは、ＣＰＵ３１０ａからの命令にしたがって、画像をディスプレイ３１１の画面と、管理者用ディスプレイ３１２の画面に表示させる。なお、管理者用ディスプレイ３１２は、投票装置３００の裏面側に備えられる管理者向けの情報表示装置である。
【００４５】
入出力インタフェース３１０ｅには、タッチパネル３２１と、管理者用タッチパネル３２２、紙幣処理ユニット３３１、硬貨処理ユニット３３２が接続されている。また、入出力インタフェース３１０ｅには、投票券発券ユニット３４１と、払戻投票券読取ユニット３４２が接続されている。さらに、入出力インタフェース３１０ｅは、マークカード読取ユニット３５０と、二次元コード読取ユニット３６０が接続されている。入出力インタフェースは、タッチパネル３２１と、管理者用タッチパネル３２２、紙幣処理ユニット３３１、硬貨処理ユニット３３２、投票券発券ユニット３４１、払戻投票券読取ユニット３４２、マークカード読取ユニット３５０、二次元コード読取ユニット３６０から送られてくる信号を、バス３１０ｈを介してＣＰＵ３１０ａに送信する。なお、管理者用タッチパネル３２２は、投票装置３００の裏面側に備えられる管理者向けの情報入力装置である。紙幣処理ユニット３３１は、紙幣の受け入れ、紙幣の真贋の鑑別、紙幣の収納、紙幣の返却、釣銭（紙幣）の払い出しをおこなう。硬貨処理ユニット３３２は、硬貨の受け入れ、硬貨の真贋の鑑別、硬貨の収納、硬貨の返却、釣銭（硬貨）の払い出しをおこなう。投票券発券ユニット３４１は、投票券を印刷して発券する。払戻投票券読取ユニット３４２は、投票券を受け入れて投票内容を読み取る。マークカード読取ユニット３５０は、マークカードから投票内容を読み取るユニットである。二次元コード読取ユニット３６０は、携帯端末２００が表示する、二次元コードの読み取るユニットである。なお、二次元コードは、ＱＲコード、バーコード等の二次元で表される識別コードの総称である。
【００４６】
ディスクドライブ３１０ｆは、可搬型記録媒体３７０への情報の書き込み、及び、可搬型記録媒体３７０への情報の読出しが可能な装置である。ディスクドライブ３１０ｆは、可搬型記録媒体３７０から読み取った信号を、バス３１０ｈを介してＣＰＵ３１０ａに送信し、ＣＰＵ３１０ａからバス３１０ｈを介して受け付けた信号を可搬型記録媒体３７０に書き込む。
【００４７】
通信制御部３１０ｇは、ネットワーク６００に接続されており、公営競技管理サーバ５００（図２参照）との間で情報の送受信を行う。
次に、会員管理サーバ４００及び公営競技管理サーバ５００について、図５を用いて説明する。
【００４８】
図５は、第２の実施の形態に係る会員管理サーバ及び公営競技管理サーバが備えるハードウェア構成例を示す図である。
なお、会員管理サーバ４００及び公営競技管理サーバ５００は共に同一の構成を有しているために、図５ではそれらを併記している。また、以下では、会員管理サーバ４００について説明し、公営競技管理サーバ５００の各構成の説明については省略する。
【００４９】
会員管理サーバ４００は、図５に示すように、会員管理サーバ４００全体を制御するＣＰＵ４１０ａが、バス４１０ｈを介してＲＡＭ４１０ｂと、ＨＤＤ４１０ｃ、グラフィック処理部４１０ｄ、入出力インタフェース４１０ｅ、ディスクドライブ４１０ｆ、通信制御部４１０ｇとに接続されている。
【００５０】
ＲＡＭ４１０ｂには、ＣＰＵ４１０ａに実行させるＯＳのプログラムやアプリケーションプログラムの少なくとも一部が一時的に格納される。また、ＲＡＭ４１０ｂには、ＣＰＵ４１０ａによる処理に必要な各種データが格納される。ＨＤＤ４１０ｃには、ＯＳやアプリケーションプログラムが格納される。
【００５１】
グラフィック処理部４１０ｄには、ディスプレイ４２０が接続されている。グラフィック処理部４１０ｄは、ＣＰＵ４１０ａからの命令にしたがって、画像をディスプレイ４２０の画面に表示させる。
【００５２】
入出力インタフェース４１０ｅには、タッチパネル４３０が接続されている。入出力インタフェースは、タッチパネル４３０から送られてくる信号を、バス４１０ｈを介してＣＰＵ４１０ａに送信する。
【００５３】
ディスクドライブ４１０ｆは、可搬型記録媒体４７０への情報の書き込み、及び、可搬型記録媒体４７０への情報の読出しが可能な装置である。ディスクドライブ４１０ｆは、可搬型記録媒体４７０から読み取った信号を、バス４１０ｈを介してＣＰＵ４１０ａに送信し、ＣＰＵ４１０ａからバス４１０ｈを介して受け付けた信号を可搬型記録媒体４７０に書き込む。
【００５４】
通信制御部４１０ｇは、ネットワーク６００に接続されており、公営競技管理サーバ５００（図２参照）との間で情報の送受信を行う。
なお、公営競技管理サーバ５００では、通信制御部５１０ｇにより、会員管理サーバ４００並びに投票装置３００との間（図２参照）で互いに情報の送受信を行う。
【００５５】
次に、このような構成を含む投票システム１００が備える機能並びに各装置間の情報のやり取りについて説明する。
まず、投票者Ｖの携帯端末２００に投票を受け付けるためのアプリが導入されておらず、当該アプリを導入するために会員登録を行う処理を実行するための携帯端末２００及び会員管理サーバ４００が備える機能について図６（並びに図３）を用いて説明する。
【００５６】
なお、投票者Ｖは、会員登録をすることで、例えば、投票金額に応じて次回以降に投票金として利用可能なポイントが付与される等の投票者Ｖにとって有効なサービスが提供されるようになる。そこで、携帯端末２００による投票が可能になるまえに、投票者Ｖにとって有効なサービスが得られることで会員登録を促し、投票者Ｖの個人情報の取得を図るようにしている。
【００５７】
図６は、第２の実施の形態に係る携帯端末及び会員管理サーバが備える機能を示す機能ブロック図である。
携帯端末２００は、入力受付部２０１と、個人情報通知部２０２、情報送信部２０３、情報受信部２０４、表示情報取得部２０５、表示処理部２０６、会員ＩＤ取得部２０７、会員ＩＤ格納部２０８、投票アプリ取得部２０９、投票アプリ格納部２１１を備える。
【００５８】
入力受付部２０１は、タッチパネル２３０に対する投票者Ｖからの操作入力を受け付ける。例えば、後述する、ディスプレイ２２０が表示した会員登録のためのウェブページにおいて、投票者Ｖのタッチパネル２３０に対する個人情報の操作入力を受け付ける。
【００５９】
個人情報通知部２０２は、入力受付部２０１が受け付けた、投票者Ｖの個人情報を、情報送信部２０３を介して会員管理サーバ４００に送信する。
情報送信部２０３は、携帯端末２００からの情報を会員管理サーバ４００に送信する。情報送信部２０３は、例えば、個人情報通知部２０２からの通知要求に基づき、投票者Ｖの個人情報を会員管理サーバ４００に送信する。
【００６０】
情報受信部２０４は、会員管理サーバ４００から送信された情報を受信する。
表示情報取得部２０５は、情報受信部２０４が会員管理サーバ４００から受信した会員登録を受け付けるためのウェブページの情報を取得する。
【００６１】
表示処理部２０６は、表示情報取得部２０５が取得した会員登録を受け付けるためのウェブページをディスプレイ２２０に表示する。投票者Ｖは、ディスプレイ２２０に表示されるウェブページに対して個人情報の入力を行うことができる。
【００６２】
会員ＩＤ取得部２０７は、情報受信部２０４が会員管理サーバ４００から受信した会員ＩＤを取得する。
会員ＩＤ格納部２０８は、取得した会員ＩＤが会員ＩＤ取得部２０７により格納される。
【００６３】
投票アプリ取得部２０９は、情報受信部２０４が会員管理サーバ４００から受信した投票アプリを取得する。
投票アプリ格納部２１１は、取得した投票アプリが投票アプリ取得部２０９により格納される。
【００６４】
また、会員管理サーバ４００は、会員登録ページ格納部４０１と、会員情報格納部４０２、投票アプリ格納部４０３、登録処理部４０４、情報受信部４０５、情報送信部４０６を備える。
【００６５】
会員登録ページ格納部４０１は、会員登録を受け付けるためのウェブページに関する情報を格納する。
会員情報格納部４０２は、会員ＩＤと共に、投票者Ｖの個人情報を格納する。
【００６６】
投票アプリ格納部４０３は、予め投票アプリを格納する。
登録処理部４０４は、携帯端末２００に対して、会員登録ページ格納部４０１に格納されている会員登録を受け付けるためのウェブページに関する情報を送信する。登録処理部４０４は、携帯端末２００から個人情報が通知されると、当該個人情報に会員ＩＤを対応付けて会員情報格納部４０２に格納させて、当該会員ＩＤを携帯端末２００に送信する。登録処理部４０４は、会員ＩＤを携帯端末２００に送信後、さらに、投票アプリ格納部４０３に格納されている投票アプリを携帯端末２００に送信する。
【００６７】
情報受信部４０５は、携帯端末２００から送信された情報を受信する。
情報送信部４０６は、会員管理サーバ４００から情報を携帯端末２００に送信する。
次に、このような機能を有する携帯端末２００及び会員管理サーバ４００で投票者Ｖの会員登録の際に実行される処理について図７及び図８を用いて説明する。
【００６８】
図７は、第２の実施の形態に係る携帯端末及び会員管理サーバの会員登録の際のシーケンス図である。
また、図８は、第２の実施の形態に係る携帯端末で会員登録時に表示される表示例を示す図であり、図８（Ａ）は会員登録時の、図８（Ｂ）は会員登録完了時の表示例をそれぞれ示している。
【００６９】
投票者Ｖは、携帯端末２００による投票を行うために、会員登録を行う。そのために、まず、携帯端末２００は、投票者Ｖの操作入力を受け付けて、会員管理サーバ４００に対して接続要求を送信する（ステップＳ１）。
【００７０】
会員管理サーバ４００では、携帯端末２００から接続要求を受け付けると、登録処理部４０４が、会員登録ページ格納部４０１に格納されている会員登録に関するウェブページの情報を携帯端末２００に送信する（ステップＳ２）。
【００７１】
携帯端末２００では、会員登録に関するウェブページの情報を受信した情報受信部２０４から表示情報取得部２０５が当該ウェブページの情報を取得すると、表示処理部２０６がディスプレイ２２０に、図８（Ａ）に示すようなウェブページを表示する。入力受付部２０１は、投票者Ｖから、図８（Ａ）の各入力箇所に投票者Ｖの個人情報が入力されて、「入力完了」の操作入力を受け付けると、個人情報通知部２０２は、投票者Ｖの個人情報を情報送信部２０３から会員管理サーバ４００に通知する（ステップＳ３）。
【００７２】
会員管理サーバ４００では、登録処理部４０４が情報受信部４０５を介して投票者Ｖの個人情報を受け付けると、当該個人情報に会員ＩＤを対応付けて会員情報格納部４０２に格納させる。登録処理部４０４は、投票アプリ格納部４０３が格納する投票アプリを情報送信部４０６から携帯端末２００に通知する（ステップＳ４）。
【００７３】
さらに、登録処理部４０４は、会員登録完了通知と共に当該会員ＩＤを情報送信部４０６から携帯端末２００に通知する（ステップＳ５）。
携帯端末２００では、会員ＩＤ取得部２０７が、情報受信部２０４が受信した会員ＩＤを会員ＩＤ格納部２０８に格納させる。また、表示情報取得部２０５が、情報受信部２０４が受信した会員登録完了に関するウェブページの情報を取得して、表示処理部２０６がディスプレイ２２０に、図８（Ｂ）に示すような登録完了を示すウェブページを表示する。
【００７４】
続けて、投票者Ｖは、投票を行うために、ディスプレイ２２０に表示されている図８（Ｂ）の登録完了の画面の「投票アプリ起動」をタッチする。
すると、携帯端末２００は、投票アプリ格納部２１１に格納された投票アプリが起動する。投票者Ｖはマークカードを用いることなく、携帯端末２００を用いて投票を行う（投票券を購入する）ことができる。
【００７５】
次に、携帯端末２００で実行される投票アプリによる投票受付処理について図９及び図１０を用いて説明する。
図９は、第２の実施の形態に係る携帯端末で実行される投票受付処理の一例を示すフローチャート図である。
【００７６】
図１０は、第２の実施の形態に係る携帯端末で投票受付処理時に表示される表示例を示す図である。
携帯端末２００は、投票者Ｖにより図８（Ｂ）の登録完了の画面の「投票アプリ起動」がタッチされると、ＣＰＵ２１０ａが投票アプリを起動して、初期化すると以下の処理を実行する。
【００７７】
［ステップＳ１１］  ディスプレイ２２０に、図１０に示すような投票受付画面を表示させて、投票を受け付ける。
例えば、タッチパネル２３０は、ディスプレイ２２０に表示される図１０の投票受付画面の「場名」、「レース」、「式別」、「買い方」、「組番」、「金額」に対する投票者Ｖからの入力を受け付ける。
【００７８】
［ステップＳ１２］  タッチパネル２３０は、ディスプレイ２２０に表示される投票受付画面の「入力完了」の操作入力を待ち受けて、「入力完了」の操作入力を検知すると、ステップＳ１３の処理が実行される。
【００７９】
［ステップＳ１３］  ステップＳ１１，Ｓ１２で入力された投票内容と、フラッシュメモリ２１０ｃ（会員ＩＤ格納部２０８）に格納されている会員ＩＤとを取得する。
［ステップＳ１４］  ステップＳ１５で取得した投票内容と、会員ＩＤとをまとめて二次元コードにコード化して、その二次元コードをディスプレイ２２０に表示する。
【００８０】
以上により、会員登録処理並びに投票受付処理が終了する。
次に、携帯端末２００に表示された二次元コードに基づき、投票券の発券処理を実行するために投票装置３００及び公営競技管理サーバ５００が備える機能について図１１及び図１２（並びに図４）を用いて説明する。
【００８１】
図１１は、第２の実施の形態に係る投票装置及び公営競技管理サーバが備える機能を示す機能ブロック図であり、図１２は、第２の実施の形態に係る投票装置及び公営競技管理サーバが備える情報の一例を示す図である。なお、図１２（Ａ）は、投票装置３００が備える投票情報の、図１２（Ｂ）は、公営競技管理サーバ５００が備える購入履歴情報の一例をそれぞれ表している。
【００８２】
投票装置３００は、二次元コード取得処理部３０１と、二次元コード変換部３０２、投票情報通知部３０３、投票受付情報格納部３０４、情報送信部３０５、情報受信部３０６、発券情報表示処理部３０７、発券受付部３０８、支払算出部３０９、発券処理部３０１ａを備える。
【００８３】
二次元コード取得処理部３０１は、二次元コード読取ユニット３６０を動作させて、携帯端末２００のディスプレイ２２０に表示されている二次元コードを取得させる。
二次元コード変換部３０２は、二次元コード取得処理部３０１が取得した二次元コードから二次元コードに含まれる会員ＩＤ及び投票情報に変換する。
【００８４】
投票情報通知部３０３は、二次元コードから変換した会員ＩＤ及び投票情報を、投票受付情報格納部３０４に格納させ、情報送信部３０５を介して公営競技管理サーバ５００に送信する。
【００８５】
投票受付情報格納部３０４は、投票情報通知部３０３から受け付けた投票情報に基づいて、例えば、図１２（Ａ）に示すように、会員ＩＤと共に、投票当日の日付に応じて、「場名」、「レース」、「買い方」、「式別」、「組番」、「金額」に関する情報を格納する。
【００８６】
情報送信部３０５は、投票装置３００からの情報を公営競技管理サーバ５００に送信する。情報送信部３０５は、例えば、投票情報通知部３０３からの送信要求に基づき、会員ＩＤ及び投票情報を公営競技管理サーバ５００に送信する。
【００８７】
情報受信部３０６は、公営競技管理サーバ５００から送信された情報を受信する。
発券情報表示処理部３０７は、情報受信部３０６を介して発券実行通知を受信すると、投票受付情報格納部３０４に格納されている投票情報をディスプレイ３１１に表示させる。また、発券情報表示処理部３０７は、支払算出部３０９が算出した支払い金額をディスプレイ３１１に表示させる。
【００８８】
発券受付部３０８は、ディスプレイ３１１に表示した投票情報に基づく支払い金額を紙幣処理ユニット３３１及び硬貨処理ユニット３３２で受け付けて、さらに、タッチパネル３２１で当該投票情報に基づく発券開始要求を受け付ける。また、発券受付部３０８は、タッチパネル３２１で現在のポイントの利用要求を受け付けると、当該利用要求を支払算出部３０９に通知する。
【００８９】
支払算出部３０９は、情報受信部３０６を介して現在のポイント数を受信すると、発券情報表示処理部３０７に当該ポイント数の表示要求を送信する。また、支払算出部３０９は、発券受付部３０８からポイントの利用要求を受信すると、投票金額の合計からポイント数を差し引いた金額の表示要求を発券情報表示処理部３０７に送信する。
【００９０】
発券処理部３０１ａは、発券受付部３０８が発券開始を受け付けると、投票受付情報格納部３０４が格納する投票情報に基づき、投票券発券ユニット３４１を制御して投票内容を印字して、投票券を発券させる。また、発券処理部３０１ａは、正常に発券処理が実行された場合に、発券完了通知と共に、投票者Ｖのポイント数の更新要求通知を、情報送信部３０５を介して公営競技管理サーバ５００に送信する。
【００９１】
また、公営競技管理サーバ５００は、情報受信部５０１と、投票情報取得部５０２、購入履歴管理処理部５０３、金額ポイント算出部５０４、購入履歴格納部５０５、発券実行要求部５０６、情報送信部５０７を備える。
【００９２】
情報受信部５０１は、投票装置３００から送信された情報を受信する。
投票情報取得部５０２は、情報受信部５０１が受信した会員ＩＤ及び投票情報を取得する。
【００９３】
購入履歴管理処理部５０３は、投票情報取得部５０２が取得した会員ＩＤ及び投票情報を購入履歴格納部５０５に格納して、購入履歴を更新する。また、購入履歴管理処理部５０３は、購入履歴の更新が完了すると、購入履歴格納部５０５を参照して、会員ＩＤに対応するポイント数が存在する場合には、当該ポイント数の情報を取得して、発券実行要求部５０６に送信する。
【００９４】
金額ポイント算出部５０４は、購入履歴管理処理部５０３による購入履歴の更新が完了すると、購入履歴格納部５０５に格納された購入履歴の投票金額の総計（総投票金額）を算出して、購入履歴格納部５０５の購入履歴の総投票金額を更新する。さらに、金額ポイント算出部５０４は、総投票金額から、所定の割合（例えば、１００円につき、１ポイント）でポイントを算出し、また、ポイントが利用されると、購入履歴格納部５０５の購入履歴の総ポイント数を更新する。
【００９５】
購入履歴格納部５０５は、会員ＩＤごとに、例えば、図１２（Ｂ）に示すように投票情報に基づき、投票券を購入した日付に応じて、「場名」、「レース」、「買い方」、「式別」、「組番」、「金額」の履歴を格納する。また、購入履歴格納部５０５は、投票者Ｖが投票券をこれまでに購入した「金額」の総額である「総投票金額」及び当該総投票金額に応じた総ポイント数の情報を格納している。
【００９６】
発券実行要求部５０６は、購入履歴管理処理部５０３が購入履歴格納部５０５に格納されている購入履歴を正常に更新すると、（さらに、ポイント数を受け付けると）投票装置３００に、投票装置３００から受信した投票情報に基づく投票券の発券実行通知（及びポイント数）を通知する。
【００９７】
情報送信部５０７は、公営競技管理サーバ５００からの情報を投票装置３００に送信する。情報送信部５０７は、例えば、発券実行要求部５０６からの送信要求に基づき、発券実行通知（及びポイント数）を投票装置３００に送信する。
【００９８】
次に、このような機能を有する投票装置３００及び公営競技管理サーバ５００で投票券発券の際に実行される処理について図１３及び図１４を用いて説明する。
図１３は、第２の実施の形態に係る携帯端末、投票装置及び公営競技管理サーバの投票券発券の際のシーケンス図であり、図１４は、第２の実施の形態に係る投票装置で発券開始受け付け時に表示される表示例を示す図である。
【００９９】
投票者Ｖは、携帯端末２００が表示する二次元コードを投票装置３００の二次元コード読取ユニット３６０にかざすと、投票装置３００では、二次元コード取得処理部３０１が、二次元コード読取ユニット３６０を制御して、携帯端末２００のディスプレイ２２０に表示されている二次元コードの画像を取得させる（ステップＳ２１）。
【０１００】
二次元コード変換部３０２が、二次元コード取得処理部３０１が取得した二次元コードの画像から二次元コードに含まれる会員ＩＤ及び投票情報に変換する（ステップＳ２２）。
【０１０１】
投票情報通知部３０３は、二次元コードから変換した会員ＩＤ及び投票情報を、投票受付情報格納部３０４に格納させて、情報送信部３０５を介して、会員ＩＤを公営競技管理サーバ５００に送信する（ステップＳ２３）。
【０１０２】
公営競技管理サーバ５００では、投票情報取得部５０２は、情報受信部５０１が受信した会員ＩＤを取得する。購入履歴管理処理部５０３が、投票情報取得部５０２が取得した会員ＩＤと現在利用可能な総ポイント数の算出要求通知を金額ポイント算出部５０４に送信する。金額ポイント算出部５０４は、購入履歴格納部５０５を参照して、会員ＩＤにおける利用可能な総ポイント数を算出する（ステップＳ２４）。
【０１０３】
金額ポイント算出部５０４は、当該総ポイント数を購入履歴管理処理部５０３から発券実行要求部５０６に通知する。
発券実行要求部５０６は、購入履歴格納部５０５に格納されている該当会員の利用可能ポイント数を受け付けて、当該会員ＩＤに対応する総ポイント数の情報を情報送信部５０７から投票装置３００に送信する（ステップＳ２５）。
【０１０４】
投票装置３００では、発券情報表示処理部３０７が、情報受信部３０６を介して総ポイント数を取得すると、投票受付情報格納部３０４を参照して投票情報をディスプレイ３１１に表示させる。さらに、支払算出部３０９が情報受信部３０６を介して取得した総ポイント数の情報の表示要求を発券情報表示処理部３０７に送信し、発券情報表示処理部３０７は、要求があった総ポイント数もディスプレイ３１１に表示する。このような表示を行って、投票者Ｖからの入金を受け付ける（ステップＳ２６）。
【０１０５】
投票者Ｖが、このようなディスプレイ３１１の表示を参照して、ポイントを利用する場合には、ディスプレイ３１１の「利用する」をタッチする。すると、発券受付部３０８は、ポイントの利用要求を受け付けて、当該利用要求を支払算出部３０９に通知する。支払算出部３０９は総金額からポイント数を差し引いて算出した支払い金額の表示要求を発券情報表示処理部３０７に送信することで、ディスプレイ３１１の支払い金額にポイント数分が差し引かれた金額が反映される。
【０１０６】
投票者Ｖが、ディスプレイ３１１の支払い金額を確認して、ディスプレイ３１１の「発券開始」をタッチして、紙幣処理ユニット３３１及び硬貨処理ユニット３３２に支払い金額を入金する。
【０１０７】
投票装置は、入金が支払金額に達すると、投票受付情報格納部３０４に格納されている会員ＩＤと投票情報を、情報送信部３０５を介して、公営競技管理サーバ５００に送信する（ステップＳ２７）。
【０１０８】
公営競技管理サーバ５００では、投票情報取得部５０２は、情報受信部５０１が受信した会員ＩＤ及び投票情報を取得する。購入履歴管理処理部５０３が、投票情報取得部５０２が取得した会員ＩＤ及び投票情報を購入履歴格納部５０５に格納して、購入履歴を更新する。
【０１０９】
さらに、金額ポイント算出部５０４は、購入履歴格納部５０５に格納された購入履歴の投票金額から総投票金額を、総投票金額に応じた総ポイント数をそれぞれ算出して、総投票数及び総ポイント数を購入履歴格納部５０５に格納して、購入履歴を更新する（ステップＳ２８）。
【０１１０】
発券実行要求部５０６は、購入履歴格納部５０５に格納されている購入履歴が正常に更新されると、購入履歴管理処理部５０３から更新した総ポイント数を受け付けて、投票装置３００に、投票装置３００から受信した投票情報に基づく発券実行通知と総ポイント数の情報を情報送信部５０７から送信する（ステップＳ２９）。
【０１１１】
投票装置３００では、発券情報表示処理部３０７が、情報受信部３０６を介して発券実行通知を取得すると、発券処理部３０１ａは、投票受付情報格納部３０４が格納する投票情報に基づき、投票券発券ユニット３４１を制御して投票内容を印字して、投票券を発券させる（ステップＳ３０）。
【０１１２】
以上により、投票者Ｖは、マークカードを利用せずに、投票内容が印字された投票券を得ることができる。
なお、公営競技管理サーバ５００が購入履歴格納部５０５に格納した会員ＩＤに投票者Ｖの個人情報を対応付ける際の処理について図１５を用いて説明する。
【０１１３】
図１５は、第２の実施の形態に係る会員管理サーバ及び公営競技管理サーバが備える機能を示す機能ブロック図である。
会員管理サーバ４００は、図６で説明したように、会員情報格納部４０２と、情報受信部４０５、情報送信部４０６を備え、さらに、個人情報通知処理部４０７を備える。
【０１１４】
個人情報通知処理部４０７は、公営競技管理サーバ５００から会員ＩＤと共に当該会員ＩＤに対応する個人情報の送信要求通知を受信すると、会員情報格納部４０２を参照して、受信した会員ＩＤに対応する個人情報を公営競技管理サーバ５００に送信する。
【０１１５】
また、公営競技管理サーバ５００は、図１１で説明したように、情報受信部５０１と、購入履歴格納部５０５、情報送信部５０７を備え、さらに、個人情報追加処理部５０８を備える。
【０１１６】
個人情報追加処理部５０８は、購入履歴格納部５０５に格納されている会員ＩＤに対応する個人情報の送信要求通知を会員管理サーバ４００に送信する。また、個人情報追加処理部５０８は、会員管理サーバ４００から当該個人情報を受信すると、購入履歴格納部５０５に格納されている会員ＩＤに受信した個人情報を対応付ける。
【０１１７】
次に、このような機能を有する会員管理サーバ４００及び公営競技管理サーバ５００で個人情報を追加する際に実行される処理について図１６を用いて説明する。
図１６は、第２の実施の形態に係る会員管理サーバ及び公営競技管理サーバの個人情報追加の際のシーケンス図である。
【０１１８】
公営競技管理サーバ５００では、個人情報追加処理部５０８が、購入履歴格納部５０５に格納されている会員ＩＤと、当該会員ＩＤに対応する個人情報の送信要求通知を情報送信部５０７から会員管理サーバ４００に送信する（ステップＳ３１）。
【０１１９】
会員管理サーバ４００では、個人情報通知処理部４０７が、公営競技管理サーバ５００から情報受信部４０５を介して会員ＩＤと共に当該会員ＩＤに対応する個人情報の送信要求通知を受信すると、会員情報格納部４０２を参照して、受信した会員ＩＤに対応する個人情報を取得する。個人情報通知処理部４０７は、会員ＩＤに対応する個人情報を情報送信部４０６から公営競技管理サーバ５００に送信する（ステップＳ３２）。
【０１２０】
公営競技管理サーバ５００では、個人情報追加処理部５０８が、会員管理サーバ４００から情報受信部５０１を介して、会員ＩＤに対応する個人情報を受信すると、購入履歴格納部５０５に格納されているその会員ＩＤに受信した個人情報を対応付ける。
【０１２１】
以上により、公営競技管理サーバ５００の購入履歴格納部５０５が格納する購入履歴には、投票者Ｖの個人情報ごとに、その投票者Ｖの投票情報が対応付けられており、これらの統計情報をマーケティングの解析・予測等に利用することができる。
【０１２２】
したがって、投票システム１００では、投票装置３００は、携帯端末２００が表示する、投票者Ｖの会員ＩＤと公営競技に対する投票内容を表す投票情報とを含む二次元コードを読み取り、二次元コードから会員ＩＤ及び投票情報を取得し、それらの情報を公営競技管理サーバ５００に送信する。公営競技管理サーバ５００は、投票装置３００から受信した投票情報を会員ＩＤごとに格納し、当該投票情報に基づく投票券の発券実行通知を投票装置３００に送信する。投票装置３００は、公営競技管理サーバ５００からの発券実行通知に基づき投票券を投票者に対して発券することができる。
【０１２３】
これにより、投票システム１００では、投票装置３００は、マークカードを用いずに投票者Ｖの投票情報に基づく投票券を発券することができ、紙の使用を抑制することができる。
【０１２４】
また、投票システム１００では、公営競技管理サーバ５００では、会員管理サーバ４００から会員ＩＤに対応する投票者Ｖの個人情報を受け付けて、購入履歴格納部５０５は会員ＩＤに対応する投票者Ｖの個人情報ごとにその投票者Ｖの投票情報を格納することができる。このため、投票者Ｖの投票状況等を統計情報として利用することにより、マーケティングの解析精度を向上させることができる。
【０１２５】
さらに、投票システム１００では、投票者Ｖに投票金額に応じて次回の投票以降に投票金として利用可能なポイントを付与するといった投票者Ｖに有効なサービスを提供することを条件に会員登録を促し、マーケティングの解析精度の向上のために、より多くの登録者Ｖの個人情報の収集を図ることができる。
【０１２６】
また、上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１２７】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０１２８】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１２９】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１３０】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【０１３１】
なお、上述の実施の形態は公営競技にて説明したが、本発明は宝くじ、サッカーくじ等にも同様の適用が可能であり、実施の形態の要旨を逸脱しない範囲内において種々の変更を加えることができる。
【０１３２】
さらに、上述の実施の形態は、多数の変形、変更が当業者にとって可能であり、説明した正確な構成および応用例に限定されるものではない。
【符号の説明】
【０１３３】
１０  投票システム
２０  携帯端末
３０  投票装置
３１  コード読取部
３２  投票情報取得部
３３  投票情報送信部
３４  発券部
３５  投票受付情報格納部
４０  投票管理サーバ
４１  投票情報受付部
４２  投票情報格納部
４３  発券実行部
【図１】
2015069589.tif 000003
【図２】
2015069589.tif 000004
【図３】
2015069589.tif 000005
【図４】
2015069589.tif 000006
【図５】
2015069589.tif 000007
【図６】
2015069589.tif 000008
【図７】
2015069589.tif 000009
【図８】
2015069589.tif 000010
【図９】
2015069589.tif 000011
【図１０】
2015069589.tif 000012
【図１１】
2015069589.tif 000013
【図１２】
2015069589.tif 000014
【図１３】
2015069589.tif 000015
【図１４】
2015069589.tif 000016
【図１５】
2015069589.tif 000017
【図１６】
2015069589.tif 000018